【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
ウェイクアップ信号（ＷＵＳ）に関係するスケーリングファクタの表示を基地局から受信し、前記スケーリングファクタは、ＷＵＳ送信特性に少なくとも基づいていることと、
ＷＵＳ時間期間の間に、前記ＷＵＳ送信特性にしたがっている前記ＷＵＳを前記基地局から受信し、前記ＷＵＳ時間期間は、前記スケーリングファクタと関係する制御チャネル反復パラメータとに少なくとも基づいていることと、
前記受信したＷＵＳに少なくとも基づいて、スケジューリング情報のために、前記基地局からのダウンリンクチャネルを監視し、前記スケジューリング情報は、前記基地局からのページングメッセージのための情報を含むこととを含む方法。
【請求項２】
基準信号の信号品質と検出しきい値の確率とに少なくとも基づいて、ＷＵＳ受信期間を決定することをさらに含み、前記ＷＵＳ受信期間は、前記ＷＵＳ時間期間よりも短い請求項１記載の方法。
【請求項３】
前記ＷＵＳ受信期間は、前記ＷＵＳ送信特性に少なくとも基づいて決定される請求項２記載の方法。
【請求項４】
前記基準信号を前記基地局から受信することと、
前記基準信号の信号品質を測定することとをさらに含む請求項２記載の方法。
【請求項５】
前記スケーリングファクタの表示を受信することは、
前記スケーリングファクタの表示、前記スケーリングファクタの値、または、これらの組み合わせ、を含むシステム情報ブロック（ＳＩＢ）を受信することを含み、
前記ＳＩＢ中で、前記ＷＵＳに対する電力オフセットパラメータを受信することと、
電力比を構成するために、上位レイヤシグナリングが受信されていないことを決定することをさらに含み、
前記電力オフセットパラメータは、狭帯域基準信号と前記ＷＵＳとの間の固定電力比を含む請求項１記載の方法。
【請求項６】
電力比を構成するために、上位レイヤシグナリングが受信されていないことを決定することをさらに含み、
前記電力オフセットパラメータは、セル特有基準信号と前記ＷＵＳとの間の固定電力比を含み、前記ＷＵＳは、マシンタイプ通信（ＭＴＣ）に関係する請求項５記載の方法。
【請求項７】
前記ＷＵＳの送信のための送信ダイバーシティディメンションの表示を前記基地局から受信することをさらに含む請求項１記載の方法。
【請求項８】
前記送信ダイバーシティディメンションは、２つのサブフレームごとに１つのアンテナポート上で切り替わるアンテナの数により、または、２つのサブフレームごとにすべてのアンテナポート上で切り替わるアンテナの数により、決定される請求項７記載の方法。
【請求項９】
ワイヤレス通信のための方法において、
ウェイクアップ信号（ＷＵＳ）に関係するスケーリングファクタの表示をユーザ機器（ＵＥ）に送信し、前記スケーリングファクタは、ＷＵＳ送信特性に少なくとも基づいて決定されることと、
ＷＵＳ時間期間の間に、前記ＷＵＳ送信特性にしたがっている前記ＷＵＳを前記ＵＥに送信し、前記ＷＵＳ時間期間は、前記スケーリングファクタと関係する制御チャネル反復パラメータとに少なくとも基づいて決定されることとを含む方法。
【請求項１０】
基準信号を前記ＵＥに送信することをさらに含み、
前記ＷＵＳ時間期間は、前記基準信号の信号品質と検出しきい値の確率とに少なくとも基づいている請求項９記載の方法。
【請求項１１】
前記基準信号は、狭帯域基準信号またはセル特有基準信号を含む請求項１０記載の方法。
【請求項１２】
ワイヤレス通信のための装置において、
請求項１〜８のいずれか１項記載の方法を実行する手段を具備する装置。
【請求項１３】
ワイヤレス通信のための装置において、
請求項９〜１１のいずれか１項記載の方法を実行する手段を具備する装置。
【請求項１４】
ワイヤレス通信のためのコードを記憶している非一時的コンピュータ読取可能媒体において、
前記コードは、
請求項１〜８のいずれか１項記載の方法を実行するように、プロセッサにより実行可能な命令を含む非一時的コンピュータ読取可能媒体。
【請求項１５】
ワイヤレス通信のためのコードを記憶している非一時的コンピュータ読取可能媒体において、
前記コードは、
請求項９〜１１のいずれか１項記載の方法を実行するように、プロセッサにより実行可能な命令を含む非一時的コンピュータ読取可能媒体。
【手続補正２】
【補正対象書類名】明細書
【補正対象項目名】０２０７
【補正方法】変更
【補正の内容】
【０２０７】
［０２１４］
本明細書の説明は、当業者が本開示を作成または使用することを可能にするために提供されている。本開示のさまざまな修正は、当業者には容易に明らかであり、本明細書で定義される一般的な原理は、本開示の範囲から逸脱することなく他の変形例に適用してもよい。したがって、本開示は、ここで説明する例および設計に限定されず、本明細書で開示される原理および新規の特徴と一致する最も広い範囲を与えられるべきである。
以下に、本願出願の当初の特許請求の範囲に記載された発明を付記する。
［１］  ワイヤレス通信のための方法において、
ウェイクアップ信号（ＷＵＳ）に関係するスケーリングファクタの表示を基地局から受信し、前記スケーリングファクタは、ＷＵＳ送信特性に少なくとも基づいていることと、
ＷＵＳ時間期間の間に、前記ＷＵＳ送信特性にしたがっている前記ＷＵＳを前記基地局から受信し、前記ＷＵＳ時間期間は、前記スケーリングファクタと関係する制御チャネル反復パラメータとに少なくとも基づいていることと、
前記受信したＷＵＳに少なくとも基づいて、スケジューリング情報のために、前記基地局からのダウンリンクチャネルを監視し、前記スケジューリング情報は、前記基地局からのページングメッセージのための情報を含むこととを含む方法。
［２］  前記ＷＵＳ時間期間の表示を前記基地局から受信することをさらに含む［１］記載の方法。
［３］  基準信号の信号品質と検出しきい値の確率とに少なくとも基づいて、ＷＵＳ受信期間を決定することをさらに含み、前記ＷＵＳ受信期間は、前記ＷＵＳ時間期間よりも短い［１］記載の方法。
［４］  前記ＷＵＳ受信期間は、前記ＷＵＳ送信特性に少なくとも基づいて決定される［３］記載の方法。
［５］  前記基準信号を前記基地局から受信することと、
前記基準信号の信号品質を測定することとをさらに含む［３］記載の方法。
［６］  前記スケーリングファクタの表示を受信することは、
前記スケーリングファクタの表示、前記スケーリングファクタの値、または、これらの組み合わせ、を含むシステム情報ブロック（ＳＩＢ）を受信することを含む［１］記載の方法。
［７］  前記ＳＩＢ中で、前記ＷＵＳに対する電力オフセットパラメータを受信することをさらに含む［６］記載の方法。
［８］  電力比を構成するために、上位レイヤシグナリングが受信されていないことを決定することをさらに含み、
前記電力オフセットパラメータは、狭帯域基準信号と前記ＷＵＳとの間の固定電力比を含む［７］記載の方法。
［９］  電力比を構成するために、上位レイヤシグナリングが受信されていないことを決定することをさらに含み、
前記電力オフセットパラメータは、セル特有基準信号と前記ＷＵＳとの間の固定電力比を含み、前記ＷＵＳは、マシンタイプ通信（ＭＴＣ）に関係する［７］記載の方法。
［１０］  関係する制御チャネルの最大反復と前記スケーリングファクタとの比に少なくとも基づいて、最大ＷＵＳ時間期間を決定することをさらに含み、
前記ＷＵＳ時間期間は、前記最大ＷＵＳ時間期間に少なくとも基づいており、前記関係する制御チャネル反復パラメータは、ページングのための関係する狭帯域制御チャネルの反復の最大数に対応する［１］記載の方法。
［１１］  前記ＷＵＳの送信のための送信ダイバーシティディメンションの表示を前記基地局から受信することをさらに含む［１］記載の方法。
［１２］  前記送信ダイバーシティディメンションは、２つのサブフレームごとに１つのアンテナポート上で切り替わるアンテナの数により、または、２つのサブフレームごとにすべてのアンテナポート上で切り替わるアンテナの数により、決定される［１１］記載の方法。
［１３］  前記ＷＵＳ時間期間は、予め定められた最大ＷＵＳ時間期間に少なくとも基づいて決定される［１］記載の方法。
［１４］  前記ＷＵＳ送信特性は、ＷＵＳ送信電力、ＷＵＳ送信ダイバーシティスキーム、ＷＵＳ受信前のレガシー同期信号検出の表示、前記ＷＵＳと狭帯域基準信号との間の電力比、ＵＥに関係する最大結合損失（ＭＣＬ）、または、これらの組み合わせを含む［１］記載の方法。
［１５］  信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される［１］記載の方法。
［１６］  前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも部分的に基づいている［１］記載の方法。
［１７］  前記固定基本単位は、サブフレーム、１ミリ秒送信時間間隔（ＴＴＩ）、スロット、または、ミニスロットの数を含む［１６］記載の方法。
［１８］  システム情報ブロック（ＳＩＢ）中で、狭帯域制御チャネル送信の反復の最大数を受信することをさらに含み、
前記ＷＵＳ時間期間は、前記狭帯域制御チャネル送信の反復の最大数に少なくとも基づいて決定される［１］記載の方法。
［１９］  ＵＥに関係するターゲット信号対雑音比（ＳＮＲ）または最大結合損失（ＭＣＬ）に少なくとも基づいて、早期終了期間を決定することをさらに含み、
前記ＷＵＳ時間期間は、前記早期終了期間に少なくとも基づいている［１］記載の方法。
［２０］  ワイヤレス通信のための方法において、
ウェイクアップ信号（ＷＵＳ）に関係するスケーリングファクタの表示をユーザ機器（ＵＥ）に送信し、前記スケーリングファクタは、ＷＵＳ送信特性に少なくとも基づいて決定されることと、
ＷＵＳ時間期間の間に、前記ＷＵＳ送信特性にしたがっている前記ＷＵＳを前記ＵＥに送信し、前記ＷＵＳ時間期間は、前記スケーリングファクタと関係する制御チャネル反復パラメータとに少なくとも基づいて決定されることとを含む方法。
［２１］  前記ＷＵＳ時間期間の表示を前記ＵＥに送信することをさらに含み、
前記ＷＵＳ時間期間は、前記ＵＥに関係するターゲット信号対雑音比（ＳＮＲ）または最大結合損失（ＭＣＬ）に少なくとも基づいている［２０］記載の方法。
［２２］  基準信号を前記ＵＥに送信することをさらに含み、
前記ＷＵＳ時間期間は、前記基準信号の信号品質と検出しきい値の確率とに少なくとも基づいている［２０］記載の方法。
［２３］  前記基準信号は、狭帯域基準信号またはセル特有基準信号を含む［２２］記載の方法。
［２４］  前記スケーリングファクタの表示を送信することは、
前記スケーリングファクタの表示、前記スケーリングファクタの値、または、これらの組み合わせ、を含むシステム情報ブロック（ＳＩＢ）を送信することを含む［２０］記載の方法。
［２５］  前記ＳＩＢは、狭帯域基準信号と前記ＷＵＳとの間の電力比を示す電力オフセットパラメータをさらに含む［２４］記載の方法。
［２６］  前記ＷＵＳの送信のための送信ダイバーシティディメンションの表示を前記ＵＥに送信することをさらに含む［２０］記載の方法。
［２７］  ２つのサブフレームごとに１つのアンテナポート上で切り替わるアンテナの数に、または、２つのサブフレームごとにすべてのアンテナポート上で切り替わるアンテナの数に少なくとも基づいて、前記送信ダイバーシティディメンションを決定することをさらに含む［２６］記載の方法。
［２８］  前記ＷＵＳ時間期間は、予め定められた最大ＷＵＳ時間期間に少なくとも基づいて決定される［２０］記載の方法。
［２９］  前記ＷＵＳ送信特性は、ＷＵＳ送信電力、ＷＵＳ送信ダイバーシティスキーム、ＷＵＳ検出前の前記ＵＥのレガシー同期信号検出の表示、前記ＷＵＳと狭帯域基準信号との間の電力比、前記ＵＥに関係する最大結合損失（ＭＣＬ）、または、これらの組み合わせを含む［２０］記載の方法。
［３０］  信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される［２９］記載の方法。
［３１］  前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも基づいている［２９］記載の方法。
［３２］  前記固定基本単位は、サブフレーム、１ミリ秒送信時間間隔（ＴＴＩ）、スロット、または、ミニスロットの数を含む［３１］記載の方法。
［３３］  システム情報ブロック（ＳＩＢ）中で、狭帯域制御チャネル送信の反復の最大数を送信することをさらに含み、
前記ＷＵＳ時間期間は、前記狭帯域制御チャネル送信の反復の最大数に少なくとも基づいている［２０］記載の方法。
［３４］  前記ＵＥに対する信号対雑音比（ＳＮＲ）を識別することをさらに含み、前記スケーリングファクタは、前記ＳＮＲに少なくとも基づいて決定される［２０］記載の方法。
［３５］  ワイヤレス通信のための装置において、
プロセッサと、
前記プロセッサと電子通信するメモリと、
前記メモリ中に記憶されている命令とを具備し、
前記命令は、前記装置に、
ウェイクアップ信号（ＷＵＳ）に関係するスケーリングファクタの表示を基地局から受信させ、前記スケーリングファクタは、ＷＵＳ送信特性に少なくとも基づいており、
ＷＵＳ時間期間の間に、前記ＷＵＳ送信特性にしたがっている前記ＷＵＳを前記基地局から受信させ、前記ＷＵＳ時間期間は、前記スケーリングファクタと関係する制御チャネル反復パラメータとに少なくとも基づいており、
前記受信したＷＵＳに少なくとも基づいて、スケジューリング情報のために、前記基地局からのダウンリンクチャネルを監視させ、前記スケジューリング情報は、前記基地局からのページングメッセージのための情報を含む、
ように、前記プロセッサにより実行可能である装置。
［３６］  前記命令は、前記装置に、前記ＷＵＳ時間期間の表示を前記基地局から受信させるように、前記プロセッサによりさらに実行可能である［３５］記載の装置。
［３７］  前記命令は、前記装置に、基準信号の信号品質と検出しきい値の確率とに少なくとも基づいて、ＷＵＳ受信期間を決定させるように、前記プロセッサによりさらに実行可能であり、
前記ＷＵＳ受信期間は、前記ＷＵＳ時間期間よりも短い［３５］記載の装置。
［３８］  前記ＷＵＳ受信期間は、前記ＷＵＳ送信特性に少なくとも基づいて決定される［３７］記載の装置。
［３９］  前記命令は、前記装置に、
前記基準信号を前記基地局から受信させ、
前記基準信号の信号品質を測定させるように、
前記プロセッサによりさらに実行可能である［３７］記載の装置。
［４０］  前記スケーリングファクタの表示を受信させる命令は、前記装置に、
前記スケーリングファクタの表示、前記スケーリングファクタの値、または、これらの組み合わせ、を含むシステム情報ブロック（ＳＩＢ）を受信させるように、前記プロセッサにより実行可能である［３５］記載の装置。
［４１］  前記命令は、前記装置に、前記ＳＩＢ中で、前記ＷＵＳに対する電力オフセットパラメータを受信させるように、前記プロセッサによりさらに実行可能である［４０］記載の装置。
［４２］  前記命令は、前記装置に、電力比を構成するために、上位レイヤシグナリングが受信されていないことを決定させるように、前記プロセッサによりさらに実行可能であり、
前記電力オフセットパラメータは、狭帯域基準信号と前記ＷＵＳとの間の固定電力比を含む［４１］記載の装置。
［４３］  前記命令は、前記装置に、電力比を構成するために、上位レイヤシグナリングが受信されていないことを決定させるように、前記プロセッサによりさらに実行可能であり、
前記電力オフセットパラメータは、セル特有基準信号と前記ＷＵＳとの間の固定電力比を含み、前記ＷＵＳは、マシンタイプ通信（ＭＴＣ）に関係する［４１］記載の装置。
［４４］  前記命令は、前記装置に、関係する制御チャネルの最大反復と前記スケーリングファクタとの比に少なくとも基づいて、最大ＷＵＳ時間期間を決定させるように、前記プロセッサによりさらに実行可能であり、
前記ＷＵＳ時間期間は、前記最大ＷＵＳ時間期間に少なくとも基づいており、前記関係する制御チャネル反復パラメータは、ページングのための関係する狭帯域制御チャネルの反復の最大数に対応する［３５］記載の装置。
［４５］  前記命令は、前記装置に、前記ＷＵＳの送信のための送信ダイバーシティディメンションの表示を前記基地局から受信させるように、前記プロセッサによりさらに実行可能であり、
前記送信ダイバーシティディメンションは、２つのサブフレームごとに１つのアンテナポート上で切り替わるアンテナの数により、または、２つのサブフレームごとにすべてのアンテナポート上で切り替わるアンテナの数により、決定される［３５］記載の装置。
［４６］  前記ＷＵＳ時間期間は、予め定められた最大ＷＵＳ時間期間に少なくとも基づいて決定される［３５］記載の装置。
［４７］  前記ＷＵＳ送信特性は、ＷＵＳ送信電力、ＷＵＳ送信ダイバーシティスキーム、ＷＵＳ受信前のレガシー同期信号検出の表示、前記ＷＵＳと狭帯域基準信号との間の電力比、ＵＥに関係する最大結合損失（ＭＣＬ）、または、これらの組み合わせを含む［３５］記載の装置。
［４８］  信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される［４７］記載の装置。
［４９］  前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも基づいており、
前記固定基本単位は、サブフレーム、１ミリ秒送信時間間隔（ＴＴＩ）、スロット、または、ミニスロットの数を含む［４７］記載の装置。
［５０］  前記命令は、前記装置に、システム情報ブロック（ＳＩＢ）中で、狭帯域制御チャネル送信の反復の最大数を受信させるように、前記プロセッサによりさらに実行可能であり、
前記ＷＵＳ時間期間は、前記狭帯域制御チャネル送信の反復の最大数に少なくとも基づいて決定される［３５］記載の装置。
［５１］  前記命令は、前記装置に、ＵＥに関係するターゲット信号対雑音比（ＳＮＲ）または最大結合損失（ＭＣＬ）に少なくとも基づいて、早期終了期間を決定させるように、前記プロセッサによりさらに実行可能であり、
前記ＷＵＳ時間期間は、前記早期終了期間に少なくとも基づいている［３５］記載の装置。
［５２］  ワイヤレス通信のための装置において、
プロセッサと、
前記プロセッサと電子通信するメモリと、
前記メモリ中に記憶されている命令とを具備し、
前記命令は、前記装置に、
ウェイクアップ信号（ＷＵＳ）に関係するスケーリングファクタの表示をユーザ機器（ＵＥ）に送信させ、前記スケーリングファクタは、ＷＵＳ送信特性に少なくとも基づいて決定され、
ＷＵＳ時間期間の間に、前記ＷＵＳ送信特性にしたがっている前記ＷＵＳを前記ＵＥに送信させ、前記ＷＵＳ時間期間は、前記スケーリングファクタと関係する制御チャネル反復パラメータとに少なくとも基づいて決定される、
ように、前記プロセッサにより実行可能である装置。
［５３］  前記命令は、前記装置に、前記ＷＵＳ時間期間の表示を前記ＵＥに送信させるように、前記プロセッサによりさらに実行可能であり、
前記ＷＵＳ時間期間は、前記ＵＥに関係するターゲット信号対雑音比（ＳＮＲ）または最大結合損失（ＭＣＬ）に少なくとも基づいている［５２］記載の装置。
［５４］  前記命令は、前記装置に、基準信号を前記ＵＥに送信させるように、前記プロセッサによりさらに実行可能であり、
前記ＷＵＳ時間期間は、前記基準信号の信号品質と検出しきい値の確率とに少なくとも基づいており、前記基準信号は、狭帯域基準信号またはセル特有基準信号を含む［５２］記載の装置。
［５５］  前記スケーリングファクタの表示を送信させる命令は、前記装置に、
前記スケーリングファクタの表示、前記スケーリングファクタの値、または、これらの組み合わせ、を含むシステム情報ブロック（ＳＩＢ）を送信させるように、前記プロセッサにより実行可能である［５２］記載の装置。
［５６］  前記ＳＩＢは、狭帯域基準信号と前記ＷＵＳとの間の電力比を示す電力オフセットパラメータをさらに含む［５５］記載の装置。
［５７］  前記命令は、前記装置に、前記ＷＵＳの送信のための送信ダイバーシティディメンションの表示を前記ＵＥに送信させるように、前記プロセッサによりさらに実行可能であり、
前記送信ダイバーシティディメンションは、２つのサブフレームごとに１つのアンテナポート上で切り替わるアンテナの数に、または、２つのサブフレームごとにすべてのアンテナポート上で切り替わるアンテナの数に少なくとも基づいている［５２］記載の装置。
［５８］  前記ＷＵＳ時間期間は、予め定められた最大ＷＵＳ時間期間に少なくとも基づいて決定される［５２］記載の装置。
［５９］  前記ＷＵＳ送信特性は、ＷＵＳ送信電力、ＷＵＳ送信ダイバーシティスキーム、ＷＵＳ検出前の前記ＵＥのレガシー同期信号検出の表示、前記ＷＵＳと狭帯域基準信号との間の電力比、前記ＵＥに関係する最大結合損失（ＭＣＬ）、または、これらの組み合わせを含む［５２］記載の装置。
［６０］  信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される［５９］記載の装置。
［６１］  前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも基づいており、
前記固定基本単位は、サブフレーム、１ミリ秒送信時間間隔（ＴＴＩ）、スロット、または、ミニスロットの数を含む［５９］記載の装置。
［６２］  前記命令は、前記装置に、システム情報ブロック（ＳＩＢ）中で、狭帯域制御チャネル送信の反復の最大数を送信させるように、前記プロセッサによりさらに実行可能であり、
前記ＷＵＳ時間期間は、前記狭帯域制御チャネル送信の反復の最大数に少なくとも基づいている［５２］記載の装置。
［６３］  前記命令は、前記装置に、前記ＵＥに対する信号対雑音比（ＳＮＲ）を識別させるように、前記プロセッサによりさらに実行可能であり、
前記スケーリングファクタは、前記ＳＮＲに少なくとも基づいて決定される［５２］記載の装置。
［６４］  ワイヤレス通信のための装置において、
ウェイクアップ信号（ＷＵＳ）に関係するスケーリングファクタの表示を基地局から受信し、前記スケーリングファクタは、ＷＵＳ送信特性に少なくとも基づいている手段と、
ＷＵＳ時間期間の間に、前記ＷＵＳ送信特性にしたがっている前記ＷＵＳを前記基地局から受信し、前記ＷＵＳ時間期間は、前記スケーリングファクタと関係する制御チャネル反復パラメータとに少なくとも基づいて決定される手段と、
前記受信したＷＵＳに少なくとも基づいて、スケジューリング情報のために、前記基地局からのダウンリンクチャネルを監視し、前記スケジューリング情報は、前記基地局からのページングメッセージのための情報を含む手段とを具備する装置。
［６５］  前記スケーリングファクタの表示を受信する手段は、
前記スケーリングファクタの表示、前記スケーリングファクタの値、または、これらの組み合わせ、を含むシステム情報ブロック（ＳＩＢ）を受信する手段を備える［６４］記載の装置。
［６６］  前記ＷＵＳの送信のための送信ダイバーシティディメンションの表示を前記基地局から受信する手段をさらに具備する［６４］記載の装置。
［６７］  システム情報ブロック（ＳＩＢ）中で、狭帯域制御チャネル送信の反復の最大数を受信する手段をさらに具備し、
前記ＷＵＳの期間は、前記狭帯域制御チャネル送信の反復の最大数に少なくとも基づいて決定される［６４］記載の装置。
［６８］  ワイヤレス通信のための装置において、
ウェイクアップ信号（ＷＵＳ）に関係するスケーリングファクタの表示をユーザ機器（ＵＥ）に送信し、前記スケーリングファクタは、ＷＵＳ送信特性に少なくとも基づいて決定される手段と、
ＷＵＳ時間期間の間に、前記ＷＵＳ送信特性にしたがっている前記ＷＵＳを前記ＵＥに送信し、前記ＷＵＳ時間期間は、前記スケーリングファクタと関係する制御チャネル反復パラメータとに少なくとも基づいて決定される手段とを具備する装置。
［６９］  前記スケーリングファクタの表示を送信する手段は、
前記スケーリングファクタの表示、前記スケーリングファクタの値、または、これらの組み合わせ、を含むシステム情報ブロック（ＳＩＢ）を送信する手段を備える［６８］記載の装置。
［７０］  前記ＷＵＳの送信のための送信ダイバーシティディメンションの表示を前記ＵＥに送信する手段をさらに具備する［６８］記載の装置。
［７１］  システム情報ブロック（ＳＩＢ）中で、狭帯域制御チャネル送信の反復の最大数を送信する手段をさらに具備し、
前記ＷＵＳ時間期間は、前記狭帯域制御チャネル送信の反復の最大数に少なくとも基づいている［６８］記載の装置。
［７２］  ワイヤレス通信のためのコードを記憶している非一時的コンピュータ読取可能媒体において、
前記コードは、
ウェイクアップ信号（ＷＵＳ）に関係するスケーリングファクタの表示を基地局から受信し、前記スケーリングファクタは、ＷＵＳ送信特性に少なくとも基づいており、
ＷＵＳ時間期間の間に、前記ＷＵＳ送信特性にしたがっている前記ＷＵＳを前記基地局から受信し、前記ＷＵＳ時間期間は、前記スケーリングファクタと関係する制御チャネル反復パラメータとに少なくとも基づいて決定され、
前記受信したＷＵＳに少なくとも基づいて、スケジューリング情報のために、前記基地局からのダウンリンクチャネルを監視し、前記スケジューリング情報は、前記基地局からのページングメッセージのための情報を含む、
ように、プロセッサにより実行可能な命令を含む非一時的コンピュータ読取可能媒体。
［７３］  前記スケーリングファクタの表示を受信する命令は、
前記スケーリングファクタの表示、前記スケーリングファクタの値、または、これらの組み合わせ、を含むシステム情報ブロック（ＳＩＢ）を受信するように、前記プロセッサにより実行可能である［７２］記載の非一時的コンピュータ読取可能媒体。
［７４］  前記命令は、前記ＷＵＳの送信のための送信ダイバーシティディメンションの表示を前記基地局から受信するように、前記プロセッサによりさらに実行可能である［７２］記載の非一時的コンピュータ読取可能媒体。
［７５］  前記命令は、システム情報ブロック（ＳＩＢ）中で、狭帯域制御チャネル送信の反復の最大数を受信するように、前記プロセッサによりさらに実行可能であり、
前記ＷＵＳ時間期間は、前記狭帯域制御チャネル送信の反復の最大数に少なくとも基づいて決定される［７２］記載の非一時的コンピュータ読取可能媒体。
［７６］  ワイヤレス通信のためのコードを記憶している非一時的コンピュータ読取可能媒体において、
前記コードは、
ウェイクアップ信号（ＷＵＳ）に関係するスケーリングファクタの表示をユーザ機器（ＵＥ）に送信し、前記スケーリングファクタは、ＷＵＳ送信特性に少なくとも基づいて決定され、
ＷＵＳ時間期間の間に、前記ＷＵＳ送信特性にしたがっている前記ＷＵＳを前記ＵＥに送信し、前記ＷＵＳ時間期間は、前記スケーリングファクタと関係する制御チャネル反復パラメータとに少なくとも基づいて決定される、
ように、プロセッサにより実行可能な命令を含む非一時的コンピュータ読取可能媒体。
［７７］  前記スケーリングファクタの表示を送信する命令は、
前記スケーリングファクタの表示、前記スケーリングファクタの値、または、これらの組み合わせ、を含むシステム情報ブロック（ＳＩＢ）を送信するように、前記プロセッサにより実行可能である［７６］記載の非一時的コンピュータ読取可能媒体。
［７８］  前記命令は、前記ＷＵＳの送信のための送信ダイバーシティディメンションの表示を前記ＵＥに送信するように、前記プロセッサによりさらに実行可能である［７６］記載の非一時的コンピュータ読取可能媒体。
［７９］  前記命令は、システム情報ブロック（ＳＩＢ）中で、狭帯域制御チャネル送信の反復の最大数を送信するように、前記プロセッサによりさらに実行可能であり、
前記ＷＵＳ時間期間は、前記狭帯域制御チャネル送信の反復の最大数に少なくとも基づいている［７６］記載の非一時的コンピュータ読取可能媒体。